(57)【要約】      （修正有）【課題】両用携帯飲水瓶を提供する。【解決手段】上瓶蓋、瓶体２及び収容空間を有する下底蓋３から構成され、下底蓋は軟性であり、瓶体下底部を介して瓶体の下部を覆い、かつ、下底蓋の内表面と瓶体下部の外表面とは摩擦力を介して互いに緊密にスリーブ接続して固定し、または瓶体下部に突出筋があり、下底蓋に対応する内凹溝２１があり、凸筋と凹溝により係止される。放置時の安定性がよく、下底蓋と瓶体下部との結合と分離が便利である。下底蓋は軟性材質を用い、瓶体下部との摩擦結合がさらに安定になり、かつ、軽質で、握持時に手触りが快適であり、それとともに、瓶体の保護ハウジングとして作用する。瓶体下部の両端が小さく、中間が大きく、瓶体下部と下底蓋の結合をさらに安定にさせ、握持もさらに快適になる。下底蓋の一縁が比較的高く、他縁が比較的低く、比較的低い一端が飲水に用いられ、比較的高い一端が握持に便利であり、使用がさらに利便になる。【選択図】図１
0003202638.tif 000002
【実用新案登録請求の範囲】
【請求項１】
上瓶蓋、瓶体及び収容空間を有する下底蓋から構成される両用携帯飲水瓶であって、
前記下底蓋は、軟性であり、前記瓶体の下底部を介して前記瓶体の下部を覆い、緊密にスリーブ接続して固定することを特徴とする両用携帯飲水瓶。
【請求項２】
前記下底蓋の内表面と瓶体下部の外表面とは摩擦力により互いに緊密にスリーブ接続して固定する
ことを特徴とする請求項１に記載の両用携帯飲水瓶。
【請求項３】
前記瓶体下部の外表面に複数本の突出筋が設置され、前記下底蓋の内表面に対応する複数の内凹溝が設置され、瓶体下部と下底蓋とは前記突出筋及び内凹溝の係止により互いにスリーブ接続して固定される
ことを特徴とする請求項１に記載の両用携帯飲水瓶。
【請求項４】
前記瓶体下部の径方向寸法は前記瓶体上部の径方向寸法より大きい
ことを特徴とする請求項１〜３のいずれか１項に記載の両用携帯飲水瓶。
【請求項５】
前記下底蓋の一縁は比較的高く、対向する他縁は比較的低い
ことを特徴とする請求項４に記載の両用携帯飲水瓶。
【請求項６】
前記瓶体下部の上下両端の径方向寸法は比較的小さく、中間の径方向寸法は比較的大きい
ことを特徴とする請求項４に記載の両用携帯飲水瓶。
【請求項７】
前記瓶体下部の外表面には、摩擦力を増加し、排気するための凹溝が周方向に沿って設置される
ことを特徴とする請求項２に記載の両用携帯飲水瓶。
【請求項８】
前記下底蓋の外表面に滑り止めストライプが設置される
ことを特徴とする請求項１に記載の両用携帯飲水瓶。
【請求項９】
前記上瓶蓋は収容空間を有する上瓶蓋体及び瓶蓋帯から構成され、前記上瓶蓋体は着脱可能な方式で前記瓶体の瓶口を覆い、前記瓶蓋帯の一端は前記上瓶蓋体に固定して連結され、他端は前記瓶体に連結される
ことを特徴とする請求項１に記載の両用携帯飲水瓶。
【請求項１０】
前記瓶蓋帯の前記一端は小環であり、前記他端は大環であり、前記小環は前記上瓶蓋体の上表面に固定して装着され、前記瓶体の瓶口には、チェックリングが設置され、前記大環は前記チェックリング下に設置される
ことを特徴とする請求項９に記載の両用携帯飲水瓶。
【考案の詳細な説明】
【技術分野】
【０００１】
本考案は日用品分野に関し、特に、ペットと所有者両用、または大人と子供両用の飲水瓶に関する。
【背景技術】
【０００２】
人々の生活水準の向上に伴って、多くの家庭または個人はペットを飼うようになった。かつ、時代の発展に従って、ペットを飼う方式は変化している。ペットは家に居るだけでなく、人類の友達として、所有者とともに生活し、様々な場合に同行する。
【０００３】
それで、夏に外出する時に、ペットの水に対する要求が大きく、それぞれ所有者及びペットの水瓶を携帯すると、所持品が煩雑になって、かつ、紛失しやすく、使い勝手が悪くなる。
【０００４】
一方、大人が子供を連れて外出する時に、２つの水瓶を持つことも煩雑であった。
【考案の概要】
【考案が解決しようとする課題】
【０００５】
これに鑑み、本考案の目的は、使用及び携帯に便利で、両用でき、かつ両用の時に、互いに汚染しない飲水瓶を提供することにある。
【課題を解決するための手段】
【０００６】
本考案の目的は、以下の技術案により実現される。
【０００７】
上瓶蓋、瓶体及び収容空間を有する下底蓋から構成される両用携帯飲水瓶であって、前記下底蓋は軟性であり、前記瓶体下底部を介して前記瓶体の下部を覆い、緊密にスリーブ接続して固定することを特徴とする両用携帯飲水瓶。
【０００８】
前記上瓶蓋は収容空間を有する上瓶蓋体及び瓶蓋帯から構成され、前記上瓶蓋体は着脱可能な方式で前記瓶体の瓶口を覆い、前記瓶蓋帯の一端は前記上瓶蓋体に固定して連結され、他端は前記瓶体に連結される。
【０００９】
前記下底蓋の内表面と瓶体下部の外表面とは摩擦力により互いに緊密にスリーブ接続して固定し、または、前記瓶体下部の外表面に複数本の突出筋が設置され、前記下底蓋の内表面に対応する複数の内凹溝が設置され、瓶体下部と下底蓋とは前記突出筋及び内凹溝の係止により互いにスリーブ接続して固定される。
【００１０】
好ましくは、前記瓶体下部の径方向寸法は前記瓶体上部より大きい。
【００１１】
好ましくは、前記下底蓋の一縁は比較的高く、対向する他縁は比較的低い。
【００１２】
好ましくは、前記下底蓋の開口縁はスムーズな弧形になる。
【００１３】
好ましくは、前記瓶体において前記下底蓋と配合する下部の上下両端の径方向寸法は比較的小さく、中間の径方向寸法は比較的大きい。
【００１４】
好ましくは、前記瓶体下部の外表面には、摩擦力を増加して排気するための凹溝が周方向に沿って設置される。
【００１５】
好ましくは、前記下底蓋の外表面には、摩擦力を増加し、緩めを防止するための滑り止めストライプが設置される。
【００１６】
好ましくは、前記上瓶蓋体はねじ山により前記瓶体の上端口に締められる。
【００１７】
好ましくは、前記瓶蓋帯の前記一端は小環であり、前記他端は大環であり、前記小環は前記上瓶蓋体の上表面に固定して装着され、前記瓶体の瓶口には、チェックリングがあり、前記大環は前記チェックリング下にスリーブする。
【００１８】
選択的には、前記上瓶蓋体の上表面に凹溝が設置され、前記小環は瓶帯ボタンにより前記凹溝内をカバーして固定する。
【考案の効果】
【００１９】
従来の技術に比べて、本考案のメリットは以下を含む。
１、瓶体全体は上が小さく、下が大きく、放置時の安定性がよい。
２、下底蓋と瓶体下部とは摩擦により互いに固定して結合し、または瓶体下部に突出筋があり、下底蓋に対応する内凹溝があり、凸筋と凹溝により係止し、瓶体と下底蓋の結合と分離がさらに便利である。
３、下底蓋は軟性材質を用い、瓶体下部との摩擦結合をさらに安定させ、かつ、軽質で、握持時に手触りが快適であり、それとともに、瓶体の保護ハウジングとして作用する。
４、瓶体下部の両端が小さく、中間が大きく、瓶体下部と下底蓋の結合をさらに安定にさせ、握持もさらに快適である。
５、下底蓋の一縁が比較的高く、他縁が比較的低く、比較的低い一端が飲水に用いられ、比較的高い一端が握持に便利であり、使用がさらに利便になる。
【図面の簡単な説明】
【００２０】
【図１】本考案に係る実施例の分解図である。
【図２】本考案に係る実施例の全体構成を示す図である。
【考案を実施するための形態】
【００２１】
本実施例が提供する両用携帯飲水瓶は、上瓶蓋１、瓶体２及び収容空間を有する下底蓋３から構成される。
【００２２】
前記上瓶蓋は収容空間を有する上瓶蓋体１１及び瓶蓋帯１２から構成される。前記上瓶蓋体１１はねじ山により前記瓶体の瓶口を覆い、前記瓶蓋帯１２の一端は前記上瓶蓋体１１の頂端に固定して連結され、他端は前記瓶体２に連結される。
【００２３】
前記下底蓋３は、シルカゲルまたはＴＰＲ等の軟性材質により製造され、前記瓶体１の下底部を介して前記瓶体１の下部を覆い、下底蓋３の内表面と瓶体２下部の外表面とは摩擦力により互いに配合し、緊密にスリーブ接続して固定する。前記瓶体２下部の径方向寸法は前記瓶体上部の径方向寸法により大きい。前記下底蓋３の一縁は比較的高く、対向する他縁は比較的低く、かつ、その開口縁はスムーズな弧形になる。前記瓶体下部の上下両端の径方向寸法は比較的小さく、中間の径方向寸法は比較的大きく、紡錘形になる。前記瓶体下部の外表面には、摩擦力を増加して排気するための複数の凹溝２１が周方向に沿って設置される。前記下底蓋３の外表面には、滑り止めストライプ３１がさらに設置される。
【００２４】
前記瓶蓋帯１２の前記一端は小環であり、前記他端は大環である。前記小環は前記上瓶蓋体１１の頂面に固定して装着され、瓶蓋帯ボタン１５により固定される。前記瓶体２の瓶口にチェックリング２２が設置され、前記大環は前記チェックリング２２下にスリーブする。
【００２５】
本考案が保護する技術案は上述した実施例に限られなく、他の変更を有しても良い。例えば、瓶体下部の外表面に周方向に沿って複数本の突出筋を設置し、下底蓋の内表面に対応する複数本の内凹溝を設置し、瓶体下部と下底蓋とは前記突出筋及び内凹溝の係止により互いに連結して固定される。さらに、例えば、下底蓋の上端は平らであり、周方向の高さが均一であってもよく、下底蓋の開口縁はスムーズな弧形に限られなく、波形または他の形状であってもよい。
【００２６】
当業者にとって、本考案の構想を逸脱しない範囲で、種々の変更、改善を行うことができ、これらはいずれも本考案の保護範囲に含まれる。このため、本考案の保護範囲は特許請求の範囲を基準とするものである。
【図１】
0003202638.tif 000003
【図２】
0003202638.tif 000004